(57)【要約】【課題】  非接触型のＩＣカード等のような媒体を用いたセルフチェックアウトに際して、効率的で間違いが生じにくい操作性を顧客に提供する。【解決手段】  操作者に向けて延出するテーブル１１０を設け、テーブル１１０の上側を媒体のセット空間として利用し、テーブル１１０の下側を商品の読み取り移動空間として利用する。つまり、テーブル１１０の上面にＲＦＩＤ機能を有するＩＣチップを搭載した媒体（例えば、非接触型のＩＣカード５０１）をセットするためのセット部１１０ａを配置し、媒体がセット部１１０ａにセットされた状態で、ＩＣチップが書き換え自在に記憶する貨幣と等価な経済的価値を持つ金銭情報の読み出しと変更とをリーダライタによって実行する。また、テーブル１１０の下方に形成される空間を商品が通過する際、商品に付されたＲＦＩＤタグが記憶する当該商品のデータをリーダによって読み取る。【選択図】    図１
2006059301.tif 000002
【特許請求の範囲】
【請求項１】
操作者に向けて延出するテーブルと、
前記テーブルの上面に配置され、ＲＦＩＤ機能を有するＩＣチップを搭載した媒体をセットするためのセット部と、
前記セット部にセットされた前記媒体との間で第１のアンテナを介して無線通信を確立し、前記ＩＣチップが書き換え自在に記憶する貨幣と等価な経済的価値を持つ金銭情報の読み出しと変更とを実行するリーダライタと、
前記テーブルの下方に形成される空間を商品が通過する際、この商品に付されて当該商品のデータを記憶するＲＦＩＤタグとの間で第２のアンテナを介して通信を確立し、前記ＲＦＩＤタグから前記データを読み取るリーダと、
前記リーダが読み取った前記データにより特定される商品の価格について一取引における合計金額を算出する第１の処理を実行する手段と、
算出された前記合計金額相当分の金銭情報を前記媒体から引き落すように前記リーダライタを駆動制御して前記ＩＣチップが記憶する金銭情報を更新する第２の処理を実行する手段と、
を備える商品販売データ処理装置。
【請求項２】
前記第１のアンテナは、前記テーブルの上面側に配置され、
前記第２のアンテナは、前記テーブルの下面側に配置されている、
請求項１記載の商品販売データ処理装置。
【請求項３】
前記リーダライタと前記リーダとが同一の機器で、前記第１のアンテナと前記第２のアンテナとが同一のアンテナで、それぞれ共用されており、
前記ＩＣチップが記憶する特有の属性情報と前記ＲＦＩＤタグが記憶する特有の属性情報とにより、それぞれ読み取ったデータが前記媒体のものであるのか前記商品のものであるのかを識別する、
請求項１記載の商品販売データ処理装置。
【請求項４】
レシート用紙に印字を行なって印字後のレシート用紙をレシート発行口からレシートとして発行するプリンタを備え、
前記第２の処理は、前記プリンタを駆動制御して当該取引のレシートを発行する処理を含む、
請求項１、２又は３記載の商品販売データ処理装置。
【請求項５】
前記レシート発行口は、前記テーブルの下方に配置されている、請求項４記載の商品販売データ処理装置。
【請求項６】
表示器と、
各種情報を前記表示器に表示させる手段と、
を備える請求項４又は５記載の商品販売データ処理装置。
【請求項７】
前記表示器の表示面の上に配置されたタッチパネルと、
前記タッチパネルのタッチ操作によって一取引の終了を宣言する手段と、
を備え、前記一取引の終了宣言に応じて前記第２の処理を実行する、
請求項６記載の商品販売データ処理装置。
【請求項８】
前記表示器は、前記テーブルの奥側に配置されている、請求項６又は７記載の商品販売データ処理装置。
【請求項９】
前記テーブルと前記レシート発行口とは、それぞれの左右の中心位置を合せて配置されている、
請求項４又は５記載の商品販売データ処理装置。
【請求項１０】
前記テーブルと前記レシート発行口と前記表示器とは、それぞれの左右の中心位置を合せて配置されている、
請求項６、７又は８記載の商品販売データ処理装置。
【発明の詳細な説明】
【技術分野】
【０００１】
本発明は、セルフチェックアウトを可能にする商品販売データ処理装置に関する。
【背景技術】
【０００２】
ＰＯＳ端末等のような商品販売データ処理装置の分野では、チェックアウト、つまり、購入される商品についての精算処理及び購入される商品の顧客への引渡しの効率化が従来からの大きな課題となっている。例えば、平成７年３月３日発行の特許文献１には、商品に付された商品コードを顧客自らが読み取るようにすることが提案されている。ところが、チェックアウトに際しては、現金やクレジットカード等による店側への金銭の支払いが必要となる。特許文献１に記載された発明も同様であるが、伝統的な商品販売データ処理装置において、店側への金銭の支払いのための操作まで顧客に担わせるという発想は、一般的にはなされてない。
【０００３】
これに対して、近年、貨幣と等価な経済的価値を持つ金銭情報を記憶するＩＣカード、例えばデビットカードが実用化されるに至っている。このようなＩＣカードを利用する場合、店側への金銭の支払いのための操作を顧客自らが行うことが可能であり、現実にも行われている。文献上も、例えば特許文献２には、貨幣と等価な経済的価値を持つ金銭情報（特許文献２では電子マネー）を記憶する非接触型のＩＣカードを用いた精算処理及びＩＣカードに対する入金処理が可能な商品販売データ処理装置が開示されている。
【０００４】
【特許文献１】特開平０７−０５７１５５号公報
【特許文献２】特開２００４−００５０３４公報
【発明の開示】
【発明が解決しようとする課題】
【０００５】
ＩＣカードを利用することで、完全なセルフチェックアウトの実現が可能になる。ところが、顧客自身がセルフチェックアウトのための全ての操作を行うとなると、顧客に対して操作上のストレスを与えることになる。このため、できるだけ効率的で間違いが生じにくい操作性を顧客に提供することが望まれる。
【０００６】
本発明の目的は、非接触型のＩＣカード等のような媒体を用いたセルフチェックアウトに際して、効率的で間違いが生じにくい操作性を顧客に提供することである。
【課題を解決するための手段】
【０００７】
本発明は、操作者に向けて延出するテーブルを設け、このテーブルの上面にＲＦＩＤ機能を有するＩＣチップを搭載した媒体（例えば、非接触型のＩＣカード）をセットするためのセット部を配置し、このセット部にセットされた前記媒体との間で第１のアンテナを介して無線通信を確立し、前記ＩＣチップが書き換え自在に記憶する貨幣と等価な経済的価値を持つ金銭情報の読み出しと変更とを実行するリーダライタを設け、前記テーブルの下方に形成される空間を商品が通過する際、この商品に付されて当該商品のデータを記憶するＲＦＩＤタグとの間で第２のアンテナを介して通信を確立し、前記ＲＦＩＤタグから前記データを読み取るリーダを設け、前記リーダが読み取った前記データにより特定される商品の価格について一取引における合計金額を算出する第１の処理を実行し、算出された前記合計金額相当分の金銭情報を前記媒体から引き落すように前記リーダライタを駆動制御して前記ＩＣチップが記憶する金銭情報を更新する第２の処理を実行するようにした。
【発明の効果】
【０００８】
本発明によれば、テーブルの上側を媒体のセット空間として利用し、テーブルの下側を商品の読み取り移動空間として利用するので、チェックアウトのための操作に際して視線や手の動きを少なくすることができ、これにより、肉体的な側面から効率的で間違いが生じにくい操作性を顧客に提供することができ、また、操作しなければならない位置をテーブルの上と下とに集約して単純化することができ、これにより、観念的な側面から効率的で間違いが生じにくい操作性を顧客に提供することができる。
【発明を実施するための最良の形態】
【０００９】
本発明の実施の一形態を図１ないし図１７に基づいて説明する。
【００１０】
［ハードウエア構成］
図１は、商品販売データ処理装置としてのチェックアウト端末１０１の全体の外観構成を示す斜視図である。図１からも明確なように、本実施の形態のチェックアウト端末１０１は、伝統的なＰＯＳ端末１（図３参照）と比較して、新規な外観態様を有している。概略的には、チェックアウト端末１０１は、本体部１０２の上部に表示器１０３が取り付けられて構成されている。本体部１０２は、ベースプレート１０４の後端部から前方に向けて湾曲形状で延出する湾曲プレート１０５との間に、ハウジング１０６が取り付けられた外観構成を有する。このような構成上、ハウジング１０６は、その側面形状が扇形をしている。
【００１１】
ベースプレート１０４は、その手前側の一部がハウジング１０６に覆われずに外部に露出している。このベースプレート１０４の外部に露出する部分には、丸枠１０７が描かれている。この丸枠１０７は、図示しない商品に付されたデータ、本実施の形態では商品に付された図示しないＲＦＩＤタグが記憶するデータを読み取る際、商品を通過させる領域の基準を提供する。
【００１２】
ハウジング１０６は、その傾斜した前面を構成するフロントパネル１０８を有する。このフロントパネル１０８は、ハウジング１０６の他の部分に対して着脱自在である。そして、フロントパネル１０８には、レシート発行口１０９が形成されている。
【００１３】
湾曲プレート１０５は、その先端部となる最も手前側の位置に、テーブル１１０を有する。そして、このテーブル１１０の上面にはセット部１１０ａが形成されている。セット部１１０ａは、ＲＦＩＤ機能を有する媒体、本実施の形態では非接触型のＩＣカードであるカード５０１を載置してセットするために用いられる。図１から明らかなように、湾曲プレート１０５は、その先端側がハウジング１０６からオーバーハングしている。このような湾曲プレート１０５のオーバーハング部分は、ベースプレート１０４に描かれた丸枠１０７の上方空間に位置付けられる。そこで、これらのベースプレート１０４の丸枠１０７と湾曲プレート１０５のオーバーハング部分との間の空間が、商品の通過領域として提供される。
【００１４】
セット部１１０ａにセットされるカード５０１は、図示しないＩＣチップを搭載し、このＩＣチップの記憶領域には貨幣と等価な経済的価値を持つ金銭情報が書き換え自在に記憶されている。ＩＣチップの記憶領域には、その他、当該カード５０１を所持するカード所持者を特定するためのＩＤコードやその他の各種データを記憶している。
【００１５】
表示器１０３は、液晶表示パネル１１１を有するフラットディスプレイである。液晶表示パネル１１１には、タッチパネル１１２が取り付けられている。このような表示器１０３は、湾曲プレート１０５のオーバーハング部分であって、セット部１１０ａの奥側に位置させて取り付けられている。
【００１６】
図２は、チェックアウト端末１０１の全体の外観構成を示す正面図である。この図２に示す正面図は、チェックアウト端末１０１のオペレータ、通常は顧客からの見え方を端的に示している。オペレータから見た場合にも、本実施の形態のチェックアウト端末１０１が、伝統的なＰＯＳ端末１（図３参照）と比較して、新規な外観態様を有していることが分かる。
【００１７】
図３は、伝統的なＰＯＳ端末１と本実施の形態のチェックアウト端末１０１とを比較対比して示す模式図である。図３を参照することで、本実施の形態のチェックアウト端末１０１が有する各部、つまり、「操作画面」、「カード読取部」、「商品情報読取部」、「レシート発行部」の機能をＰＯＳ端末１との比較において容易に把握することができよう。
【００１８】
チェックアウト端末１０１において、「操作画面」は、表示器１０３に設けられた液晶表示パネル１１１とタッチパネル１１２とによって構成される。この点については、伝統的なＰＯＳ端末１と相違はない。
【００１９】
これに対して、チェックアウト端末１０１においては、セット部１１０ａにセットされたカード５０１との間で無線通信を実行するリーダライタ２０１（図５参照）が設けられている。このようなリーダライタ２０１は、テーブル１１０においてセット部１１０ａの上面に配置されている第１のアンテナ２０２を介してカード５０１との間の無線通信を実行する。したがって、テーブル１１０は、「カード読取部」を構成する。このような「カード読取部」として、ＰＯＳ端末１は、溝形状のカード読取部を設けている。そこで、「カード読取部」の外観構成として、チェックアウト端末１０１の「カード読取部」はＰＯＳ端末１の「カード読取部」と大きく相違する。
【００２０】
本実施の形態では、前述したように、商品に付されたＲＦＩＤタグとの間の無線通信によって商品のデータを読み取る。これを実現する構成として、リーダ２０３が設けられている。このリーダ２０３は、テーブル１１０の下面に配置されている第２のアンテナ２０４を介してＲＦＩＤとの間の無線通信を実行する。したがって、テーブル１１０は、「商品情報読取部」を構成する。このような「商品情報読取部」として、ＰＯＳ端末１は、別ユニットを備える。そこで、「商品情報読取部」の外観構成として、チェックアウト端末１０１の「商品情報読取部」はＰＯＳ端末１の「商品情報読取部」と大きく相違する。
【００２１】
「レシート発行部」として、チェックアウト端末１０１はスリット状のレシート発行口１０９を有している。ＰＯＳ端末１の「レシート発行部」もスリット状である。
【００２２】
ここで、リーダライタ２０１は、カード５０１という形態で実現されている媒体に対して、ＩＣチップの記憶領域にアクセスしてその記憶領域に記憶されている金銭情報の読み出しと変更とを実行するリーダライタの一態様として用いられている。つまり、本実施の形態では、媒体としてカード５０１が用いられているが故にリーダライタとしてリーダライタ２０１が用いられ、媒体をセットするためのセット部としてセット部１１０ａが採用されているわけである。したがって、リーダライタ２０１及びセット部１１０ａの形態は、媒体の形態に依存することになる。この場合、本発明を実施するうえで、媒体の外観態様について制約はない。例えば、カード型に限らず、各種の外観態様を有する媒体を用い得る。例えば、媒体は、携帯電話のような外観態様を有していても良い。そこで、媒体として携帯電話のような外観態様を有するものの使用が想定される場合には、セット部１１０ａも携帯電話の載置に適した構造を備えることになる。
【００２３】
また、リーダ２０３は、ＲＦＩＤタグを備えている商品に対して、ＲＦＩＤタグの記憶領域にアクセスしてその記憶領域に記憶されているデータ、例えば当該商品の商品コードや単価等の読み出しを実行する。
【００２４】
以上、「操作画面」、「カード読取部」、「商品情報読取部」、及び「レシート発行部」という個々の要素について、チェックアウト端末１０１とＰＯＳ端末１とを比較対照した。両者の全体的な外観態様については、図３に示すように、チェックアウト端末１０１とＰＯＳ端末１との相違は極めて大きい。
【００２５】
図４は、プリンタの構造を示す模式図である。ハウジング１０６は、プリンタ１１３を内蔵する。プリンタ１１３は、回転自在に支持されたプラテン１１４とこのプラテン１１４に対して回動自在に支持されてプラテン１１４に当接するサーマルプリンタヘッド１１５とを備えている。プリンタ１１３は、用紙収納部１１６にロール状に巻回されて収納されたレシート用紙１１７を案内コロ１１８でプラテン１１４とサーマルプリンタヘッド１１５との間に案内し、レシート発行口１０９から外部に導き出す。このようなレシート用紙１１７の案内過程で、サーマルプリンタヘッド１１５が有する図示しない複数個の発熱素子の選択的な発熱によって、レシート用紙１１７に所定事項が印字される。したがって、レシート用紙１１７としては、感熱紙等を用いる必要がある。また、サーマルプリンタヘッド１１５によって印字済みのレシート用紙１１７を外部に導き出す過程で、レシート用紙１１７はカッタ１１９によって切断され、レシート１２０としてレシート発行口１０９から発行される。
【００２６】
図５は、各部の電気的接続のブロック図である。各種演算処理を実行して各部を集中的に制御するＣＰＵ１５１が設けられ、このＣＰＵ１５１にはプログラム等の固定データを記憶するＲＯＭ１５２と、例えばプログラムの実行に際してワークエリアとして機能するＲＡＭ１５３とが接続されている。ＣＰＵ１５１は、ＲＯＭ１５２に格納されたプログラムに従い各種演算処理を実行し、ＲＡＭ１５３をワークエリアとして使用しながら、各部を駆動制御する。
【００２７】
ＣＰＵ１５１に制御される各部として、ＣＰＵ１５１には、リーダライタ２０１及びリーダ２０３が接続され、表示器Ｉ／Ｆ１５４を介して液晶表示パネル１１１が接続され、タッチパネルＩ／Ｆ１５５を介してタッチパネル１１２が接続され、プリンタＩ／Ｆ１５６を介してプリンタ１１３が接続されている。ＣＰＵ１５１には、また、通信Ｉ／Ｆ１５７も接続され、この通信Ｉ／Ｆ１５７に接続された外部機器、例えばストアコントローラ等とＣＰＵ１５１との間のデータ通信を可能にする。
【００２８】
リーダライタ２０１は、カード用ＲＦＩＤ無線部２０５を有し、このカード用ＲＦＩＤ無線部２０５が第１のアンテナ２０２を介して非接触型のカード５０１との間で無線通信を実現する。つまり、リーダライタ２０１とカード５０１との間の無線通信は、ＲＦＩＤ技術を用いて行なわれる。この場合、通信距離は数ｍｍ〜数ｃｍ程度が適当であるため、電磁結合方式又は電磁誘導方式のＲＦＩＤ技術を用いることが好適である。そこで、第１のアンテナ２０２は、セット部１１０ａにセットされたカード５０１との間の離反距離が数ｍｍ〜数ｃｍ程度となるように、セット部１１０ａが配置されているテーブル１１０の上面側に配置されている。
【００２９】
リーダ２０３は、商品用ＲＦＩＤ無線部２０６を有し、この商品用ＲＦＩＤ無線部２０６が第２のアンテナ２０４を介して商品に付されたＲＦＩＤタグとの間で無線通信を実現する。この場合、数十ｃｍ程度の通信距離が必要となる反面、通信距離が長すぎると、データを読み取るべき商品ではない別の商品について無用な読み取りが行なわれてしまう。そこで、電磁誘導方式（例えば、１３．５６ＭＨｚ帯を使用）か、あるいはマイクロ波方式（例えば、２．４５ＧＨｚ帯使用）のＲＦＩＤ技術を用いることが好適である。第２のアンテナ２０４は、ベースプレート１０４の丸枠１０７と湾曲プレート１０５のオーバーハング部分との間の空間である商品の通過領域を通過する商品に対して、そのＲＦＩＤタグとの間で良好に通信が可能になるよう、テーブル１１０の下面側に配置されている。
【００３０】
図６は、各部の電気的接続の別の一例を示すブロック図である。図５に示す例では、カード５０１との間の通信を行なうリーダライタ２０１と商品との間の通信を行なうリーダ２０３とが別個独立した機器として設けられている。これに対して、別の実施の形態としては、これらのリーダライタ２０１とリーダ２０３とを同一の機器として構成するようにしても良い。つまり、図６のブロック図は、基本的には図５のブロック図と共通しているが、リーダライタ２０１とリーダ２０３とが共通のリーダライタ２５１に置き換えられている点で相違する。リーダライタ２５１は、ＲＦＩＤ無線部２５２を有し、このＲＦＩＤ無線部２５２がアンテナ２５３を介して非接触型のカード５０１及び商品に付されたＲＦＩＤタグとの間で無線通信を実現する。この場合、商品に付されたＲＦＩＤタグとの間の通信距離が確保されている必要がある。そこで、電磁誘導方式（例えば、１３．５６ＭＨｚ帯を使用）か、あるいはマイクロ波方式（例えば、２．４５ＧＨｚ帯使用）のＲＦＩＤ技術を用いることが好適である。アンテナ２５３は、一例として、テーブル１１０の内部に埋設される。別の一例としては、テーブル１１０の中央部にセット部１１０ａよりも小さな空間を形成し、この空間にアンテナ２５３を配置しても良い。
【００３１】
図７（ａ）は、カード５０１が記憶するカード情報の模式図、図７（ｂ）は、商品に付されたＲＦＩＤタグが記憶する商品情報を示す模式図である。以上説明したように、リーダライタ２０１とリーダ２０３とを同一のリーダライタ２５１で共用し、第１のアンテナ２０２と第２のアンテナ２０４とを同一のアンテナ２５３で共用した場合、受信したデータがカード５０１からのデータなのか商品からのデータなのかを識別する必要がある。そこで、本実施の形態では、カード５０１のＩＣチップが記憶する特有の属性情報と商品に付されたＲＦＩＤタグが記憶する特有の属性情報とによって、受信したデータがカード５０１からのデータなのか商品からのデータなのかを識別するようにした。図７（ａ）に示すように、カード５０１には、一例として、カード番号５０１ａ、そのカード５０１の残高である金額データ５０１ｂ、顧客データ５０１ｃが記憶されており、「１０」という属性情報５０１ｄが記憶されている。また、図７（ｂ）に示すように、商品に付されたＲＦＩＤタグには、一例として、商品コードを定義する商品番号５５１ａ、単価を定義する金額データ５５１ｂ、その商品の詳細、例えば仕様情報、生産や流通に関する情報等を定義する商品データ５５１ｃが記憶されており、「２０」という属性情報５５１ｄが記憶されている。
【００３２】
したがって、アンテナ２５３を介してリーダライタ２５１がカード５０１又は商品と通信を行なった場合、カード５０１からの通信伝文は図７（ａ）に示すカード５０１の記憶情報と同一の内容となり、商品からの通信伝文は図７（ｂ）に示す商品の記憶情報と同一の内容となる。そこで、ＣＰＵ１５１は、リーダライタ２５１が受信した受信伝文を参照し、「１０」という属性情報５０１ｄが含まれていればカード５０１からの通信伝文であり、「２０」という属性情報５５１ｄが含まれていれば商品からの通信伝文であることを認識することができる。
【００３３】
図８は、商品販売データ処理の実行に際して使用されるメモリ（ＲＡＭ１５３）の使用状況を示す模式図である。チェックアウト端末１０１は、セルフチェックアウト処理を代表とする各種の処理を実行するためのプログラムコードをＲＯＭ１５２に格納している。そこで、ＣＰＵ１５１は、そのようなプログラムコードに従い、ＲＡＭ１５３をワークエリアとして使用しながら、各種演算処理と必要に応じた各部を駆動制御とを実行し、セルフチェックアウト処理を代表とする各種の処理を実行する。このようなＣＰＵ１５１によるセルフチェックアウト処理に際して、一取引毎に、ＲＡＭ１５３には図８に例示するような使用領域が生成される。
【００３４】
つまり、カード５０１がセット部１１０ａに載置されてセットされると、リーダライタ２０１（又はリーダライタ２５１）はカード５０１と通信を開始し、カード５０１が有しているＩＣチップの記憶領域に記憶されているカード情報、例えば当該カード５０１の残高であるカード金額等の情報を獲得する。ＣＰＵ１５１は、リーダライタ２０１（又はリーダライタ２５１）が読み取ったカード情報をＲＡＭ１５３の記憶領域に記憶させる。こうしてＲＡＭ１５３に生成されるのが、カード情報記憶部１５３ａである。
【００３５】
また、リーダ２０３（又はリーダライタ２５１）が商品のデータを読み取ると、ＣＰＵ１５１は、読み取った商品のデータをＲＡＭ１５３の記憶領域に記憶させる。こうしてＲＡＭ１５３に生成されるのが、商品情報仮記憶部１５３ｂである。
【００３６】
ＣＰＵ１５１は、商品のデータに基づいてその商品の単価を得ることができる。例えば、商品に付されたＲＦＩＤタグに記憶されているデータそれ自体が当該商品の単価を含んでいれば、リーダ２０３（又はリーダライタ２５１）が商品のデータを読み取ることによって直ちに当該商品の単価を得ることができる。図７（ｂ）に一例として挙げた商品情報は、金額データ５５１ｂとして単価を含んでいるので、このようなデータをリーダ２０３（又はリーダライタ２５１）が受信することができれば、ＣＰＵ１５１は、直ちに当該商品の単価を得ることができる。別の一例としては、商品に付されたＲＦＩＤタグに記憶されているデータが当該商品コードを含んでいる場合には、その商品コードによって特定される商品についての情報を、例えば通信Ｉ／Ｆ１５７を介してストアコントローラ等の外部機器に問合せ、問合せによる返答から当該商品の単価を得ることができる。いずれにしても、ＣＰＵ１５１は、リーダ２０３（又はリーダライタ２５１）がデータを読み取った商品について、その商品の単価に基づいて合計金額を算出する。そして、ＣＰＵ１５１は、算出した合計金額をＲＡＭ１５３の記憶領域に記憶させる。こうしてＲＡＭ１５３に生成されるのが、合計金額記憶部１５３ｃである。
【００３７】
［セルフチェックアウト処理］
図９は、セルフチェックアウト処理の流れを示すフローチャートである。セルフチェックアウト処理は、ＲＯＭ１５２に格納されたセルフチェックアウトプログラムに従い実行される。以下、セルフチェックアウト処理について、図１１ないし図１７に例示する表示器１０３の画面表示例を参照しながら説明する。
【００３８】
ここで、以下の説明は、リーダライタ２０１が第１のアンテナ２０２を介してカード５０１と通信し、リーダ２０３が第２のアンテナ２０４を介して商品に付されたＲＦＩＤタグと通信する構成を前提として解説を進めている。これに対して、リーダライタ２５１がアンテナ２５３を介してカード５０１又は商品に付されたＲＦＩＤタグと通信をする場合であっても、ＣＰＵ１５１は、カード５０１からの通信なのか商品からの通信なのかを識別可能である。したがって、リーダライタ２０１が第１のアンテナ２０２を介してカード５０１と通信し、リーダ２０３が第２のアンテナ２０４を介して商品に付されたＲＦＩＤタグと通信する場合の説明をもって、リーダライタ２５１がアンテナ２５３を介してカード５０１又は商品に付されたＲＦＩＤタグと通信をする場合の説明を省略する。
【００３９】
図１１は、表示器１０３におけるセルフチェックアウト処理の開始画面を例示する模式図である。チェックアウト端末１０１は、セルフチェックアウト処理の開始画面として、図１１に例示する画面を顧客に提供する。この開始画面では、「いらっしゃいませ」という挨拶と、「カードを置いてください」という案内とを表示する。開始画面は、表示器１０３及びセット部１１０ａのグラフィック表示を提供することで、「カードを置いてください」という案内に従い、どこにカード５０１を置けばよいのかを顧客に示し、顧客を誘導する。
【００４０】
図１０は、画像表示処理の流れを示すフローチャートである。画像表示処理は、ＲＯＭ１５２に格納された画像表示プログラムに従い、図９に示すセルフチェックアウト処理と並列して実行される。つまり、図９中には図示しないが、セルフチェックアウトプログラムには、その起動に共ない図１０に例示する画像表示プログラムの起動を指示するプログラムコードが記述されている。そこで、ＣＰＵ１５１は、図９に示すセルフチェックアウトプログラムが起動すると、図１０に示す画像表示プログラムを起動させる。この画像表示プログラムに従い、ＣＰＵ１５１は、表示器１０３の液晶表示パネル１１１に開始画面を表示させる（ステップＳ２０１）。こうして表示された画面が、図１１に例示する開始画面である。
【００４１】
図１１に例示する表示器１０３の画面は、あるイベントの発生に応じて変化する。つまり、図１０の画像表示処理では、ＣＰＵ１５１がイベントの発生を監視しており（ステップＳ２０２）、イベントが発生すると（ステップＳ２０２のＹ）、発生したイベントを解析する（ステップＳ２０３）。そして、発生したイベントが精算であるかどうかを判定し（ステップＳ２０４）、精算でなければ（ステップＳ２０４のＮ）、ステップＳ２０３での解析内容に応じた画面を液晶表示パネル１１１に表示させる（ステップＳ２０５）。これに対して、発生したイベントが精算であったと判定した場合には（ステップＳ２０４のＹ）、表示器１０３の表示画面を後述する精算終了画面に切り替え（ステップＳ２０６）、所定時間の経過を待った後（ステップＳ２０７）、開示画面表示に戻る（ステップＳ２０７のＹ）。ここで、ステップＳ２０４で判定する「精算」の概念については、図９中のステップＳ１１３からステップＳ１１４の処理を説明するに際して、詳細に説明する。
【００４２】
図９に示すセルフチェックアウト処理の説明に戻る。セルフチェックアウト処理としては、まず、セット部１１０ａにカード５０１がセットされているかどうかを判定する（ステップＳ１０１）。この判定は、リーダライタ２０１がカード５０１と通信を確立できたかどうかをもって行なわれる。つまり、ＣＰＵ１５１は、セルフチェックアウト処理の実行時において、リーダライタ２０１を駆動状態に維持する。駆動状態に維持されているリーダライタ２０１は、第１のアンテナ２０２に常時電流を流した状態になっている。そこで、この状態でセット部１１０ａにカード５０１がセットされると、リーダライタ２０１とカード５０１との間で電磁結合又は電磁誘導による通信が確立し、カード５０１からの信号を受信できる状態になる。そこで、ＣＰＵ１５１は、カード５０１からの信号の受信を確認すると、ステップＳ１０１において、カード５０１がセット部に１１０にセットされたことを判定する（ステップＳ１０１のＹ）。
【００４３】
カード５０１がセット部に１１０にセットされたことの判定（ステップＳ１０１のＹ）は、図１０に示す画面表示処理にとってイベントの発生である。したがって、ＣＰＵ１５１は、図１０中のステップＳ２０２においてイベントの発生を認識する（ステップＳ２０２のＹ）。これに応じて、ＣＰＵ１５１はイベント解析をし（ステップＳ２０３）、表示器１０３の画面を図１２に例示する画面に切り替える。
【００４４】
図１２は、セット部１１０ａにカード５０１をセットした場合の表示器１０３の画面を例示する模式図である。この画面例では、「カード残高」という表示と共に残高表示欄３０１が表示される。そして、画面中、「商品のタグ（ＲＦＩＤ）を上に向けて丸枠内を通過させてください」という案内が表示される。また、画面は、ベースプレート１０４に描かれた丸枠１０７の上を商品が通過している状態のグラフィック表示を提供することで、「商品のタグ（ＲＦＩＤ）を上に向けて丸枠内を通過させてください」という案内に従い、どの位置にカード５０１を通過させればよいのかを顧客に示し、顧客を誘導する。
【００４５】
図１２に例示する画面には、「取消」と記された取消ボタン３０２と「呼出」と記された呼出ボタン３０３とが表示されている。これらの取消ボタン３０２又は呼出ボタン３０３は、タッチパネル１１２によってタッチ入力可能なボタンとして出現している。そこで、これらの取消ボタン３０２又は呼出ボタン３０３がタッチ入力されると、タッチパネル１１２はその位置情報を出力し、これに応じてＣＰＵ１５１は取消ボタン３０２又は呼出ボタン３０３のタッチ入力を認識する。そこで、ＣＰＵ１５１は、取消ボタン３０２がタッチされた場合には（ステップＳ１１５のＹ）、今までの処理操作の取り消し処理を実行し（ステップＳ１１６）、呼出ボタン３０３がタッチされた場合には（ステップＳ１１５のＹ）、店員の呼び出し処理を実行する（ステップＳ１１６）。
【００４６】
図９に示すセルフチェックアウト処理の説明に戻る。ＣＰＵ１５１は、カード５０１がセット部１１０ａにセットされたと判定すると（ステップＳ１０１のＹ）、カード５０１が有するＩＣチップの記憶領域に記憶されているデータのうち、残高として記憶されている金額を読み取る（ステップＳ１０２）。この金額は、カード残高である。そこで、ＣＰＵ１５１は、読み取ったカード残高をＲＡＭ１５３のカード情報記憶部１５３ａ（図８参照）に記憶させ、そのカード残高を表示器１０３に表示されている残高表示欄３０１に表示させる。図１２に示す例では、カード残高は５２００円である。
【００４７】
ステップＳ１０２の処理に続き、ＣＰＵ１５１は、商品に付されているＲＦＩＤタグが読み取られたかどうかの判定に移る（ステップＳ１０３）。この判定は、リーダ２０３が商品に付されたＲＦＩＤタグとの間で通信が確立できたかどうかをもって行なわれる。つまり、ＣＰＵ１５１は、セルフチェックアウト処理の実行時において、リーダ２０３を駆動状態に維持する。駆動状態に維持されているリーダ２０３は、第２のアンテナ２０４に常時電流を流した状態になっている。この状態で、商品の通過領域として提供されているベースプレート１０４の丸枠１０７と湾曲プレート１０５のオーバーハング部分との間の空間に商品が通されると、商品に付されたＲＦＩＤタグとリーダ２０３との間の通信が確立され、ＲＦＩＤタグに記憶されている商品のデータがリーダ２０３に読み取られる。そこで、ＣＰＵ１５１は、ＲＦＩＤからの信号の受信を確認すると、ＲＦＩＤタグが読み取られたと判定する（ステップＳ１０３のＹ）。
【００４８】
ＲＦＩＤタグが読み取られたことの判定（ステップＳ１０３のＹ）は、図１０に示す画面表示処理にとってイベントの発生である。したがって、ＣＰＵ１５１は、図１０中のステップＳ２０２においてイベントの発生を認識する（ステップＳ２０２のＹ）。これに応じて、ＣＰＵ１５１はイベント解析をし（ステップＳ２０３）、表示器１０３の画面を図１３に例示する画面に切り替える。
【００４９】
図１３は、リーダ２０３に缶コーヒのデータを読み取らせた場合の表示器１０３の画面を例示する模式図である。図１２に例示する画面から遷移した図１３に例示する画面には、商品名とその金額とを表示するための商品情報表示欄３０４と、合計金額を表示する合計金額表示欄３０５と、取消ボタン３０２及び呼出ボタン３０３とは別に、「精算」と記された精算ボタン３０６とが出現する。また、図１３に例示する画面には、「商品の登録が終わりましたら、金額をご確認の上、精算ボタンを押してください」という案内も表示される。これらの画面出現項目のうち、精算ボタン３０６は、取消ボタン３０２及び呼出ボタン３０３と同様に、タッチパネル１１２によってタッチ入力可能なボタンとして出現している。そこで、精算ボタン３０６がタッチ入力されると、タッチパネル１１２はその位置情報を出力し、これに応じてＣＰＵ１５１は精算ボタン３０６のタッチ入力を認識する。そこで、ＣＰＵ１５１は、精算ボタン３０６がタッチ入力された場合には（ステップＳ１１０のＹ）、ステップＳ１１１からステップＳ１１４に至る処理が実行される。この処理については、後述する。
【００５０】
図９に示すセルフチェックアウト処理の説明に戻る。ＣＰＵ１５１によってＲＦＩＤタグが読み取られたと判定された際には、リーダ２０３によって既に商品のデータが読み取られている。そこで、ＣＰＵ１５１は、リーダ２０３が読み取った商品のデータをＲＡＭ１５３に設定された商品情報仮記憶部１５３ｂに記憶する（ステップＳ１０４）。この場合の商品のデータは、一例として、商品名及び単価である。
【００５１】
別の一例として、商品に付されているＲＦＩＤタグに記憶されているのが当該商品の商品コードである場合を想定する。この場合には、商品コードをキーとして商品名及び単価を検索する必要がある。一例として、チェックアウト端末１０１それ自体がＰＬＵを持つか、あるいは通信Ｉ／Ｆを介してチェックアウト端末１０１が通信可能な外部機器、例えばストアコントローラ等がＰＬＵを持つ構成を採用すれば、ＲＦＩＤタグから獲得した商品コードをキーとして当該商品の商品名及び単価を得ることができる。ステップＳ１０４の処理では、こうして得た商品名及び単価を商品情報仮記憶部１５３ｂに記憶するようにしても良い。
【００５２】
続いて、ＣＰＵ１５１は、カード５０１がセット部１１０ａに載置されてセットされているかどうかの判定を行ない（ステップＳ１０５）、カード５０１がセットされていることを条件として（ステップＳ１０５のＹ）、それまでの合計金額を計算し、ＲＡＭ１５３に設定された合計金額記憶部１５３ｃに計算した合計金額を書き込む（ステップＳ１０６）。
【００５３】
そして、ＣＰＵ１５１は、ステップＳ１０２で読み取ったカードに記憶されている金額、つまりカード残高がステップＳ１０５で算出した合計金額を超えているかどうかを判定する（ステップＳ１０７）。判定の結果、カード５０１の残高が合計金額を超えているとの判定結果が得られた場合には（ステップＳ１０７のＹ）、図１３に示す商品情報表示欄３０４に、ＲＡＭ１５３の商品情報仮記憶部１５３ｂが記憶する商品のデータのうち商品名と単価とを表示する（ステップＳ１０８）。そして、図１３に示す合計金額表示欄３０５には、ＲＡＭ１５３の合計金額記憶部１５３ｃが記憶する合計金額を表示する（ステップＳ１０９）。
【００５４】
ここで、図１３に例示する画面のフォーマット自体は、図１０に処理内容を示す画像表示プログラムのステップＳ２０５の記述に従い、ＣＰＵ１５１が液晶表示パネル１１１を駆動制御して出現させている。これに対して、商品情報表示欄３０４に表示される商品名及び単価は、図９に処理内容を示すセルフチェックアウトプログラムのステップＳ１０８及びステップＳ１０９の記述に従い、ＣＰＵ１５１が液晶表示パネル１１１を駆動制御して出現させている。そして、図１３に示す例は、缶コーヒに付されたＲＦＩＤが記憶するデータがリーダ２０３に読み取られた状況を想定し、このような場合における表示器１０３の画面表示例を示している。そこで、商品情報表示欄３０４に「缶コーヒ」「１２０円」と表示がなされ、合計金額表示欄３０５に「１２０円」と表示されている。
【００５５】
ステップＳ１０９の処理後、ＣＰＵ１５１の処理はステップＳ１０３の処理、つまり、ＲＦＩＤタグが読み取られたかどうかの判定処理にリターンする。したがって、取消ボタン３０２、呼出ボタン３０３、又は精算ボタン３０６のいずれか１つがタッチ入力されない限り、商品のデータの入力処理が繰り返される。これに対して、ステップＳ１０３でＲＦＩＤタグが読み取られたと判定されるまでの間（ステップＳ１０３のＮ）、精算ボタン３０６がタッチ入力されたかどうかが判定される（ステップＳ１１０）。精算ボタン３０６のタッチ入力が判定された場合には（ステップＳ１１０のＹ）、精算処理が実行される（ステップＳ１１１〜ステップＳ１１４）。この精算処理については、後述する。これに対して、精算ボタン３０６のタッチ入力が判定されなければ（ステップＳ１１０のＮ）、他のボタン、つまり取消ボタン３０２又は呼出ボタン３０３がタッチ入力されたかどうかが判定される（ステップＳ１１５）。他のボタンのタッチ入力が判定された場合には（ステップＳ１１５のＹ）、入力ボタンに応じた処理、つまり、取消ボタン３０２がタッチされた場合には（ステップＳ１１５のＹ）、今までの処理操作の取り消し処理を実行し（ステップＳ１１６）、呼出ボタン３０３がタッチされた場合には（ステップＳ１１５のＹ）、店員の呼び出し処理を実行する（ステップＳ１１６）。これに対して、他のボタンのタッチ入力が判定されなければ（ステップＳ１１５のＮ）、ステップＳ１０３の処理、つまり、ＲＦＩＤタグが読み取られたかどうかの判定処理にリターンする。
【００５６】
ここで、本実施の形態のセルフチェックアウト処理では、セット部１１０ａにカード５０１が載置され続けていることが前提となっている。そこで、前述したように、ＣＰＵ１５１は、ステップＳ１０３においてＲＦＩＤタグが読み取られたと判定した場合（ステップＳ１０３のＹ）、カード５０１がセット部１１０ａに載置されてセットされているかどうかの判定を行なう（ステップＳ１０５）。判定の結果、カード５０１がセットされていないことが判定された場合には（ステップＳ１０５のＮ）、ＲＡＭ１５３におけるカード情報記憶部１５３ａ、商品情報仮記憶部１５３ｂ及び合計金額記憶部１５３ｃからデータをクリアし（ステップＳ１１７）、処理を終了する。
【００５７】
また、カード残高が購入金額を超えてしまえば、もはや取引が成立しない。そこで、前述したように、ステップＳ１０７では、ステップＳ１０２で読み取ったカード残高がステップＳ１０５で算出した合計金額を超えているかどうかを判定する。判定の結果、カード５０１の残高が合計金額に満たないとの判定結果が得られた場合には（ステップＳ１０７のＮ）、表示器１０３にカード金額が不足していることを表示して顧客に知らせ（ステップＳ１１８）、直前にステップＳ１０３でＲＦＩＤタグが読み取られたと判定された商品の単価のみをＲＡＭ１５３の合計金額記憶部１５３ｃに記憶されている合計金額から差し引き（ステップＳ１１９）、ステップＳ１０３の処理、つまり、ＲＦＩＤタグが読み取られたかどうかの判定処理にリターンする。この状態では、購入合計金額がカード残高を越えないような単価の商品を購入することが可能であり、あるいは、精算ボタン３０６をタッチ入力して精算することも可能である。
【００５８】
図１４〜図１６には、商品のデータが次々と入力された場合の画面遷移例を例示する。
【００５９】
図１４は、缶コーヒに続き、リーダ２０３におにぎりのデータを読み取らせた場合の表示器の画面を例示する模式図である。缶コーヒに続き、商品の通過領域として提供されているベースプレート１０４の丸枠１０７と湾曲プレート１０５のオーバーハング部分との間の空間におにぎりが通されると、おにぎりに付されたＲＦＩＤタグとリーダ２０３との間の通信が確立され、ＲＦＩＤタグに記憶されているおにぎりのデータがリーダ２０３に読み取られる。これにより、図９中のステップＳ１０３からステップＳ１０９までの処理が繰り返され、これらの処理に際して図１０中のステップＳ２０１からステップＳ２０５までの処理が繰り返される。その結果、図９中のステップＳ１０８の処理により、表示器１０３の表示として商品情報表示欄３０４がもう一段増やされ、第１段目の「缶コーヒ」「１２０円」という表示と共に、第２段目に「おにぎり」「１５０円」という表示がなされる。そして、図９中のステップＳ１０６では、ＲＡＭ１５３の合計金額記憶部１５３ｃに記憶されている合計金額、この場合には缶コーヒの金額である１２０円におにぎりの金額である１５０円を加算して２７０円をそれまでの合計金額として求め、この２７０円を合計金額記憶部１５３ｃに記憶させる。これにより、図９中のステップＳ１０９により、表示器１０３に表示される合計金額表示欄３０５の金額が２７０円となる。
【００６０】
図１５は、おにぎりに続き、リーダ２０３に弁当のデータを読み取らせた場合の表示器の画面を例示する模式図である。おにぎりに続き、商品の通過領域として提供されているベースプレート１０４の丸枠１０７と湾曲プレート１０５のオーバーハング部分との間の空間に弁当が通されると、弁当に付されたＲＦＩＤタグとリーダ２０３との間の通信が確立され、ＲＦＩＤタグに記憶されている弁当のデータがリーダ２０３に読み取られる。これにより、図９中のステップＳ１０３からステップＳ１０９までの処理が繰り返され、これらの処理に際して図１０中のステップＳ２０１からステップＳ２０５までの処理が繰り返される。その結果、図９中のステップＳ１０８の処理により、表示器１０３の表示として商品情報表示欄３０４がもう一段増やされ、第１段目の「缶コーヒ」「１２０円」、第２段目の「おにぎり」「１５０円」という表示と共に、第３段目に「弁当」「４８０円」という表示がなされる。そして、図９中のステップＳ１０６では、ＲＡＭ１５３の合計金額記憶部１５３ｃに記憶されている合計金額、この場合には缶コーヒとおにぎりとの金額である２７０円に弁当の金額である４８０円を加算して７５０円をそれまでの合計金額として求め、この７５０円を合計金額記憶部１５３ｃに記憶させる。これにより、図９中のステップＳ１０９により、表示器１０３に表示される合計金額表示欄３０５の金額が７５０円となる。
【００６１】
図１６は、弁当に続き、リーダ２０３に雑誌のデータを読み取らせた場合の表示器の画面を例示する模式図である。弁当に続き、商品の通過領域として提供されているベースプレート１０４の丸枠１０７と湾曲プレート１０５のオーバーハング部分との間の空間に雑誌が通されると、雑誌に付されたＲＦＩＤタグとリーダ２０３との間の通信が確立され、ＲＦＩＤタグに記憶されている雑誌のデータがリーダ２０３に読み取られる。これにより、図９中のステップＳ１０３からステップＳ１０９までの処理が繰り返され、これらの処理に際して図１０中のステップＳ２０１からステップＳ２０５までの処理が繰り返される。その結果、図９中のステップＳ１０８の処理により、表示器１０３の表示として商品情報表示欄３０４がもう一段増やされ、第１段目の「缶コーヒ」「１２０円」、第２段目の「おにぎり」「１５０円」、第３段目の「弁当」「４８０円」という表示と共に、第４段目に「雑誌」「５００円」という表示がなされる。そして、図９中のステップＳ１０６では、ＲＡＭ１５３の合計金額記憶部１５３ｃに記憶されている合計金額、この場合には缶コーヒとおにぎりと弁当との金額である７５０円に雑誌の金額である５００円を加算して１２５０円をそれまでの合計金額として求め、この１２５０円を合計金額記憶部１５３ｃに記憶させる。これにより、図９中のステップＳ１０９により、表示器１０３に表示される合計金額表示欄３０５の金額が１２５０円となる。
【００６２】
精算処理について説明する。ステップＳ１０３でＲＦＩＤタグが読み取られたと判定されるまでの間（ステップＳ１０３のＮ）、精算ボタン３０６がタッチ入力されたかどうかが判定され（ステップＳ１１０）、この判定の結果、精算ボタン３０６のタッチ入力が判定された場合には（ステップＳ１１０のＹ）、精算処理が実行される（ステップＳ１１１〜ステップＳ１１４）。つまり、ＣＰＵ１５１は、カード５０１がセット部１１０ａに載置されてセットされているかどうかの判定を行ない（ステップＳ１１１）、カード５０１がセットされていることを条件として（ステップＳ１１１のＹ）、カード残高から合計金額を減算した金額を算出する（ステップＳ１１２）。この場合のカード残高は、ステップＳ１０２でカード５０１から読み取ってＲＡＭ１５３のカード情報記憶部１５３ａ（図８参照）に記憶させたカード残高である。合計金額は、ステップＳ１０６でＲＡＭ１５３の合計金額記憶部１５３ｃに書き込んだ合計金額である。
【００６３】
ＣＰＵ１５１は、ステップＳ１１２でカード残高から合計金額を減算した金額を算出したら、その金額をカード５０１に書き込む（ステップＳ１１３）。つまり、ＣＰＵ１５１は、リーダライタ２０１を駆動制御して、セット部１１０ａに載置されてセットされているカード５０１が有するＩＣチップの記憶領域にアクセスさせ、この記憶領域に記憶されているデータのうち、残高として記憶されている金額からステップＳ１１２で算出した金額を減算した金額を、新たな残高として記憶させる。もっとも、ここで述べている処理内容は、ある程度概念的な処理内容であり、結果的に、カード５０１が記憶しているカード残高がステップＳ１１２で算出した金額を減算した金額となれば良い。より具体的な処理内容は、多くの場合、カード５０１の規格やデータ構造等によって決められることになる。
【００６４】
別の実施の形態として、カード５０１が記憶するカード残高は、残高となる数値である必要はなく、例えば、カード５０１から引き落とされる金額の履歴情報であっても良い。この場合、一例として、カード５０１には、このカード５０１から引き落とすべき金額、例えば合計金額記憶部１５３ｃが記憶する合計金額のみを書き加えていくことになる。カード５０１に予めチャージされた金額と、その後にカード５０１から引き落とすべき金額の履歴とが分かれば、当該チャージされた金額から引き落とすべき全ての金額を減算することで、カード５０１の残高を自ずと求めることが可能である。したがって、このような処理を実行する場合には、カード残高から合計金額を減算する必要がないため、ステップＳ１１２の処理は不要となる。
【００６５】
前述したように、ＣＰＵ１５１は、精算ボタン３０６のタッチ入力を判定した場合（ステップＳ１１０のＹ）、精算処理に入る前に、カード５０１がセット部１１０ａに載置されてセットされているかどうかの判定を行なう（ステップＳ１１１）。判定の結果、カード５０１がセットされていないことが判定された場合には（ステップＳ１１１のＮ）、ＲＡＭ１５３におけるカード情報記憶部１５３ａ、商品情報仮記憶部１５３ｂ及び合計金額記憶部１５３ｃからデータをクリアし（ステップＳ１１７）、処理を終了する。
【００６６】
ここで、ステップＳ１１３でのカード５０１への書き込み処理の終了は、図１０に示す画面表示処理にとってイベントの発生である。したがって、ＣＰＵ１５１は、図１０中のステップＳ２０２においてイベントの発生を認識する（ステップＳ２０２のＹ）。これに応じて、ＣＰＵ１５１はイベント解析をする（ステップＳ２０３）。その結果、ＣＰＵ１５１はイベントが精算であることを判定する（ステップＳ２０４のＹ）。つまり、ステップＳ２０４での「精算」という概念は、精算ボタン３０６がタッチ入力された後、ステップＳ１１３でのカード５０１への書き込み処理が終了したことと等価である。そこで、ＣＰＵ１５１は、表示器１０３の画面を図１７に例示する精算終了画面に切り替える。
【００６７】
図１７は、精算処理が終了した場合の表示器１０３の画面（精算終了画面）を例示する模式図である。精算終了画面では、「精算は終了致しました。レシートとカードをお取りください。」という案内と、「ありがとうございました」という挨拶とを表示する。加えて、「袋詰めは、お隣でどうぞ」という案内を、袋詰めをすべき場所へ導く矢印のグラフィック表示と共に表示することで、顧客を袋詰めすべき場所に誘導している。
【００６８】
そして、図９に示すセルフチェックアウト処理では、ＣＰＵ１５１は、カード残高をカード５０１に書き込む処理（ステップＳ１１３）に続き、プリンタ１１３を駆動制御し、レシート１２０の印字発行を実行する（ステップＳ１１４）。この際、レシート１２０の印字内容は、ＲＡＭ１５３の商品情報仮記憶部１５３ｂ及び合計金額記憶部１５３ｃの記憶内容等を参照して決定する。こうして、ステップＳ１１４でレシート１２０の印字発行がなされたならば、一取引におけるセルフチェックアウト処理が終了する。
【００６９】
［まとめ］
以上説明したように、本実施の形態のチェックアウト端末１０１によれば、リーダ２０３が読み取ったデータにより特定される商品の価格について一取引における合計金額を算出する第１の処理を実行する手段（ステップＳ１０６）を備え、また、算出された合計金額相当分の金銭情報をカード５０１から引き落すようにリーダライタ２０１を駆動制御してＩＣチップが記憶する金銭情報を更新する第２の処理を実行する手段（ステップＳ１１３）を備える。そして、テーブル１１０の上側をカード５０１のセット空間として利用し、テーブル１１０の下側を商品の読み取り移動空間として利用する。このため、セルフチェックアウトのための操作に際して視線や手の動きを少なくすることができ、肉体的な側面から効率的で間違いが生じにくい操作性を顧客に提供することができる。また、操作しなければならない位置をテーブル１１０の上と下とに集約して単純化することができ、観念的な側面から効率的で間違いが生じにくい操作性を顧客に提供することができる。
【００７０】
また、テーブル１１０の上側をカード５０１のセット空間として利用し、テーブル１１０の下側を商品の読み取り移動空間として利用すれば、空間の効率的に使用が可能となる。
【００７１】
しかも、セット部１１０ａはテーブル１１０の上面に配置されているために、顧客からのカード５０１の視認性が向上し、カード５０１の確実なセット、セルフチェックアウト操作終了後におけるカード５０１の取り忘れの防止等、様々な利点が生ずる。
【００７２】
加えて、テーブル１１０の下方空間は、商品を自然と移動させ易いため、操作性が良好である。
【００７３】
また、本実施の形態のチェックアウト端末１０１は、テーブル１１０の上側をカード５０１のセット空間として利用し、テーブル１１０の下側を商品の読み取り移動空間として利用するために、一例として、第１のアンテナ２０２をテーブル１１０の上面側に配置し、第２のアンテナ２０４をテーブル１１０の下面側に配置している。これにより、リーダライタ２０１によるカード５０１との間の通信と、リーダ２０３による商品に付されたＲＦＩＤタグとの間の通信とが、共に良好に行なわれる。
【００７４】
また、本実施の形態のチェックアウト端末１０１は、テーブル１１０の上側をカード５０１のセット空間として利用し、テーブル１１０の下側を商品の読み取り移動空間として利用するために、別の一例として、リーダライタ２０１とリーダ２０３とを同一の機器であるリーダライタ２５１で共用し、第１のアンテナ２０２と第２のアンテナ２０４とを同一のアンテナ２５３で共用し、カード５０１のＩＣチップが記憶する特有の属性情報５０１ｄと商品に付されたＲＦＩＤタグが記憶する特有の属性情報５５１ｄとにより、それぞれ読み取ったデータがカード５０１のものであるのか商品のものであるのかを識別するようにしている。これにより、機器の共通化による部品点数の削減を実現し、製造工程の削減、製造コストの低減、部品コストの低減等を図ることができる。
【００７５】
また、本実施の形態のチェックアウト端末１０１は、レシート用紙１１７に印字を行なって印字後のレシート用紙１１７をレシート発行口１０９からレシート１２０として発行するプリンタ１１３を備え、第２の処理は、プリンタ１１３を駆動制御して当該取引のレシート１２０を発行する処理を含む。これにより、セルフチェックアウトに際して、レシート１２０の発行が可能となる。このような構成において、レシート発行口１０９がテーブル１１０の下方に配置されているので、左右方向に装置を大型化させず、よりコンパクトでスマートな装置とすることができる。
【００７６】
また、本実施の形態のチェックアウト端末１０１は、表示器１０３を備え、この表示器１０３に各種情報を表示させるようにしているので、顧客に対する案内誘導がたやすく、この面からも間違いのないセルフチェックアウトの支援がなされる。
【００７７】
また、本実施の形態のチェックアウト端末１０１は、表示器１０３の表示面の上にタッチパネル１１２を配置し、タッチパネル１１２のタッチ操作によって一取引の終了を宣言する手段（ステップＳ１１１）を有し、一取引の終了宣言に応じて第２の処理を実行するようにしている（ステップＳ１１２〜ステップＳ１１４）。これにより、キーボード等の操作デバイスが不用となり、よりコンパクトでスマートな装置とすることができる。
【００７８】
また、本実施の形態のチェックアウト端末１０１では、表示器１０３がテーブル１１０の奥側に配置されているので、セット部１１０ａの上にカード５０１をセットするための空間を確保しながら、左右方向に装置を大型化させず、よりコンパクトでスマートな装置とすることができる。しかも、表示器１０３がセット部１１０ａに対するカード５０１の載置操作性を妨げず、セット部１１０ａにセットされたカード５０１の視認性を妨げないので、カード５０１の確実なセット、セルフチェックアウト操作終了後におけるカード５０１の取り忘れの防止等、様々な利点が生ずる。
【００７９】
そして、テーブル１１０とレシート発行口１０９と表示器１０３とは、それぞれの左右の中心位置を合せて配置されているので、左右方向に装置を大型化させず、よりコンパクトでスマートな装置とすることができる。しかも、より一層、セルフチェックアウトのための操作に際して視線や手の動きを少なくすることができ、肉体的な側面からより効率的で間違いが生じにくい操作性を顧客に提供することができる。
【図面の簡単な説明】
【００８０】
【図１】本発明の実施の一形態として、商品販売データ処理装置の全体の外観構成を示す斜視図である。
【図２】その正面図である。
【図３】伝統的な商品販売データ処理装置（ＰＯＳ端末）と本実施の形態の商品販売データ処理装置とを比較対比して示す模式図である。
【図４】プリンタの構造を示す模式図である。
【図５】各部の電気的接続のブロック図である。
【図６】各部の電気的接続の別の一例を示すブロック図である。
【図７】（ａ）は媒体（非接触型のＩＣカードであるカード）が記憶するカード情報の模式図、（ｂ）は商品に付されたＲＦＩＤタグが記憶する商品情報を示す模式図である。
【図８】商品販売データ処理の実行に際して使用されるメモリの使用状況を示す模式図である。
【図９】セルフチェックアウト処理の流れを示すフローチャートである。
【図１０】画面表示処理の流れを示すフローチャートである。
【図１１】表示器におけるセルフチェックアウト処理の開始画面を例示する模式図である。
【図１２】セット部に媒体（非接触型のＩＣカードであるカード）をセットした場合の表示器の画面を例示する模式図である。
【図１３】リーダに缶コーヒのデータを読み取らせた場合の表示器の画面を例示する模式図である。
【図１４】缶コーヒに続き、リーダにおにぎりのデータを読み取らせた場合の表示器の画面を例示する模式図である。
【図１５】おにぎりに続き、リーダに弁当のデータを読み取らせた場合の表示器の画面を例示する模式図である。
【図１６】弁当に続き、リーダに雑誌のデータを読み取らせた場合の表示器の画面を例示する模式図である。
【図１７】精算処理が終了した場合の表示器の画面を例示する模式図である。
【符号の説明】
【００８１】
１０３：表示器，１０９：レシート発行口，１１０：テーブル，１１０ａ：セット部，１１２：タッチパネル，１１３：プリンタ，１１７：レシート用紙，１２０：レシート，２０１：リーダライタ，２０２：第１のアンテナ，２０３：リーダ，２０４：第２のアンテナ，２５１：リーダライタ，２５３：アンテナ，５０１：媒体（カード）
【図１】
2006059301.tif 000003
【図２】
2006059301.tif 000004
【図３】
2006059301.tif 000005
【図４】
2006059301.tif 000006
【図５】
2006059301.tif 000007
【図６】
2006059301.tif 000008
【図７】
2006059301.tif 000009
【図８】
2006059301.tif 000010
【図９】
2006059301.tif 000011
【図１０】
2006059301.tif 000012
【図１１】
2006059301.tif 000013
【図１２】
2006059301.tif 000014
【図１３】
2006059301.tif 000015
【図１４】
2006059301.tif 000016
【図１５】
2006059301.tif 000017
【図１６】
2006059301.tif 000018
【図１７】
2006059301.tif 000019